(57)【要約】【課題】 ＬＶＤＳインタフェースを用いたデータ通信において、ケーブルの容量および抵抗等の状態に加えて、周囲温度や電磁波等の環境変化にも充分に対応してデータ通信を良好に行う。【解決手段】 ＬＶＤＳデータ送信器１０は、クロック信号用ケーブル１３に接続されて差動クロック信号のジッター値を計測し、その計測したジッター値に応じて分周回路１１３によりクロック信号の分周値を変更し、差動クロック出力回路１１１から出力される差動クロック信号の周波数を変化させる。【選択図】  図１
2006107292.tif 000002
【特許請求の範囲】
【請求項１】
クロック信号を差動クロック信号に変換すると共にデータ信号を差動データ信号に変換し、該差動クロック信号および差動データ信号をそれぞれ、各ケーブルをそれぞれ介して送信するデータ送信器において、
クロック信号用ケーブルの状態変化に基づく送信差動クロック信号の影響度に応じて該クロック信号の周波数を制御する周波数制御手段を有するデータ送信器。
【請求項２】
前記周波数制御手段で周波数制御されたクロック信号に同期するようにパラレル−シリアル変換した前記データ信号を得るパラレル−シリアル変換手段と、
該データ信号を二つの差動データ信号に変換してデータ信号用ケーブルに出力する差動データ出力手段とを更に有する請求項１に記載のデータ送信器。
【請求項３】
前記周波数制御手段の前段には、クロック信号を発生するクロック信号発生手段が設けられ、該周波数制御手段の後段には、該周波数制御手段で周波数制御されたクロック信号を二つの差動クロック信号に変換して前記クロック信号用ケーブルに前記送信差動クロック信号として出力する差動クロック出力手段が設けられた請求項１または２に記載のデータ送信器。
【請求項４】
前記周波数制御手段は、
前記送信差動クロック信号の影響度を検出するクロック影響度検出手段と、
該クロック影響度検出手段で検出した検出結果に応じて、該クロック信号発生手段からのクロック信号を分周して前記差動クロック出力手段に供給する分周手段とを有する請求項３に記載のデータ送信器。
【請求項５】
前記送信差動クロック信号の影響度は、該送信差動クロック信号に生じるジッターの大きさである請求項１または４に記載のデータ送信器。
【請求項６】
前記送信差動クロック信号の影響度は、該送信差動クロック信号間に生じるスキューの大きさである請求項１または４に記載のデータ送信器。
【請求項７】
請求項１〜６のいずれかに記載のデータ送信器と、
該データ送信器から送信された差動クロック信号および差動データ信号を受信してそれぞれをクロック信号およびデータ信号にそれぞれ変換するデータ受信器と、
該データ受信器からのクロック信号およびデータ信号に基づいて表示画面上に画像表示する画像表示手段とを有する通信端末装置。
【請求項８】
前記データ送信器に対して、撮影した画像データを供給する撮影手段を更に有する請求項７に記載の通信端末装置。
【請求項９】
請求項１〜６のいずれかに記載のデータ送信器と、
該データ送信器から送信される差動クロック信号および差動データ信号を受信してそれぞれをクロック信号およびデータ信号にそれぞれ変換するデータ受信器とが、クロック信号用ケーブルおよびデータ信号用ケーブルをそれぞれ介して接続されているデータ通信システム。
【請求項１０】
前記データ受信器は、
前記データ送信器からの差動クロック信号および差動データ信号をそれぞれクロック信号およびデータ信号にそれぞれ変換する差動クロック受信手段および差動データ受信手段と、
該差動データ受信手段からのデータ信号を、該差動クロック受信手段からのクロック信号に同期するようにシリアル−パラレル変換するシリアル−パラレル変換手段とを有する請求項９に記載のデータ通信システム。
【請求項１１】
クロック信号とデータ信号をそれぞれ差動振幅信号に変換してデジタルデータ通信を行うデータ通信方法において、
クロック信号用ケーブルの状態変化に基づく送信差動クロック信号の影響度に応じて該クロック信号の周波数を制御するデータ通信方法。
【発明の詳細な説明】
【技術分野】
【０００１】
本発明は、例えばデジタルカメラやデジタルビデオカメラなどで撮像された画像データを画像表示装置との間で高速に伝送させるためのデータ送信器、これを用いた通信端末装置、このデータ送信器を用いたデータ通信システムおよびデータ通信方法に関する。
【背景技術】
【０００２】
従来、例えばデジタルカメラおよびデジタルビデオカメラなどにおいて、光学画像の電気信号への変換は、一般に、電荷結合素子（ＣＣＤ）または相補型金属酸化膜半導体素子（ＣＭＯＳ）などからなるイメージセンサによって実現されている。
【０００３】
これらのイメージセンサは、光と色に敏感な画像検出要素（画素、検出器マトリックスとも呼ばれる）が規則的に配置されたプレート状の素子である。このイメージセンサの解像度は、その物理的なサイズと画素の集積度によって変動する。一般に、イメージセンサは、数十万の画素を有している。
【０００４】
イメージセンサの製造において、高度に発達したＣＭＯＳ技術を利用することにより、同じ半導体素子上にデジタル電子装置とアナログ電子装置であるイメージセンサとを統合化することが可能となる。また、カメラモジュールのサイズと重量を減少させることにより、このようなモジュールが統合化された携帯用コンピュータや携帯用移動体通信端末装置のように、さらに小型の電子装置に搭載することも可能となる。
【０００５】
携帯用コンピュータや携帯用移動体通信端末装置にカメラモジュールを搭載する場合には、カメラモジュールから出力される画像信号（デジタルデータ信号）のために、多くの出力線が必要とされる。このように、デジタル画像信号の配線に関する問題やデータ転送に関する問題、さらに、不要輻射ノイズが生じるという問題は、通信端末装置やシステムの費用削減、低消費電力化および小型化を図る上で大きな課題となっている。
【０００６】
従来、これらの問題を解決するために、低電圧差動信号（ＬＶＤＳ）インタフェースが使用されている。
【０００７】
図６は、ＬＶＤＳインタフェースを用いた従来のデータ通信システムの構成例を示すブロック図である。
【０００８】
図６に示すように、データ通信システム７０は、ＬＶＤＳインターフェイス送信回路７１と、ＬＶＤＳインターフェイス受信回路７２とが、二本の差動信号用ケーブル７３および７４を介して接続されている。
【０００９】
ＬＶＤＳインターフェイス送信回路７１は、入力される送信側画像データのパラレル信号７１１をシリアル信号７１２に変換するパラレル・シリアル変換回路７１３と、シリアル信号７１２を二つの差動振幅信号に変換するＬＶＤＳ送信器７１４とを有している。
【００１０】
ＬＶＤＳ送信器７１４の２つの出力部に接続された信号用ケーブル７３，７４間には、ＬＶＤＳ送信器７１４から電流として出力される差動振幅信号を電圧に変換するための抵抗器７５が接続されている。
【００１１】
ＬＶＤＳインターフェイス受信回路７２は、ＬＶＤＳインターフェイス送信回路７１から差動振幅信号として出力される電流を電圧として受信するＬＶＤＳ受信器７２１と、ＬＶＤＳ受信器７２１から出力される受信側画像データのシリアル信号７２２をパラレル信号７２３に変換するシリアル・パラレル変換回路７２４とを有している。
【００１２】
図７に、図６のＬＶＤＳ送信器７１４からＬＶＤＳ受信器７２１に信号用ケーブル７３，７４を介して伝送される差動振幅信号を示す波形図である。
【００１３】
図７に示すように、ＬＶＤＳ送信器７１４から差動振幅信号として出力される電流信号は、Ｂｉｔ０、１、２、・・・のパラレル信号がシリアル信号に変換されており、抵抗器７５によって、電圧信号Ｖｏｄ１＝Ｉｄ１×Ｒに変換されて、ＬＶＤＳ受信器７２１に入力される。この電圧信号は、抵抗器７５に電流が流れる方向によって、“１”または“０”として解釈されている。
【００１４】
一般に、ＬＶＤＳ送信器７１４およびＬＶＤＳ受信器７２１のペアによって、電磁ノイズを最小限に抑えながら、高いデータ転送速度でデータ転送を行うことが可能となっている。
【００１５】
このようなＬＶＤＳインターフェイスを用いたデータ通信システム７０では、ＬＶＤＳ伝送ケーブル（信号用ケーブル７３，７４）自体の負荷変動が、伝送される差動振幅信号の波形に影響を与えて、通信エラーが発生する場合がある。
【００１６】
この問題に対して、例えば特許文献１には、信号用ケーブル長に応じて信号の振幅を設定する機能を有することにより通信エラーを抑えて高速でデータ伝送可能な情報処理装置が開示されている。
【００１７】
図８は、特許文献１に開示されている従来のＬＶＤＳインタフェースを備えた情報処理装置の構成例を示すブロック図である。
【００１８】
図８に示すように、情報処理装置９０は、ＬＶＤＳ出力部９１と、ケーブル長検出手段９２と、振幅制御信号形成手段９３とを有している。
【００１９】
ＬＶＤＳ出力部９１は、差動振幅信号を出力するＬＶＤＳ出力回路９１１と、振幅設定回路９１２とを有している。
【００２０】
ＬＶＤＳ出力回路９１１は、信号用ケーブル９４の一端（出力端子９１３）に接続されており、ＬＶＤＳ出力回路９１１から信号用ケーブル９４を介して液晶表示装置９５に低電圧の差動信号が出力される。信号用ケーブル９４の他端（入力端子９５１）は、液晶表示装置９５の入力部９５２を介して設けられたＬＶＤＳ入力回路９５３に接続されており、ＬＶＤＳ出力回路９１から出力された差動信号がＬＶＤＳ入力回路９５３に入力される。
【００２１】
振幅設定回路９１２は、信号形成手段９３からの振幅制御信号に基づいて、ＬＶＤＳ出力回路９１１から出力される差動信号の振幅を設定可能とする。
【００２２】
ケーブル長検出手段９２は、検出用出力回路９２１、検出用ケーブル９２２、反射波発生回路９２３、反射波検出回路９２４およびケーブル長信号形成回路９２５を有しており、信号用ケーブル９４のケーブル長が検出され、検出されたケーブル長に応じたケーブル長信号が形成される。検出用ケーブル９２２は、信号用ケーブル９４と同一長さとされている。
【００２３】
振幅制御信号形成手段９３は、ケーブル長信号をＡ／Ｄ変換するＡ／Ｄ変換回路９３１と、Ａ／Ｄ変換回路９３１からの信号により振幅制御信号を形成する抵抗回路９３２とを有しており、ケーブル長信号形成回路９２５から出力されるケーブル長信号に基づいて形成された振幅制御信号を振幅設定回路９１２に出力する。
【００２４】
この構成によれば、信号用ケーブル９４のケーブル長に基づいて振幅制御信号を形成することが可能であり、ＬＶＤＳ出力回路９１１から出力される差動信号の振幅を、信号用ケーブル９４のケーブル長に応じた値に自動的に設定することができる。したがって、信号伝播中の信号用ケーブル９４における減衰等を考慮して、ケーブル長に応じた最適な振幅の信号が出力されて、その結果、微小振幅で高いビットレートの差動振幅信号を正確に伝播させることが可能となる。
【特許文献１】特開２０００−１８１５９１号公報
【発明の開示】
【発明が解決しようとする課題】
【００２５】
上記従来のＬＶＤＳインタフェースからの出力信号は、微小振幅で高ビットレートであるため、その伝播中、使用環境や接続されているケーブルの容量および抵抗等の状態によってはジッターが発生し、高速クロック周波数時に通信エラーが発生する場合がある。
【００２６】
この課題を解決するために、上記特許文献１の従来技術では、ＬＶＤＳインターフェイスに接続されているケーブル長が計測され、そのケーブル長に応じて信号の振幅が設定されている。
【００２７】
しかしながら、上記特許文献１の従来技術では、信号用ケーブル９４以外に、ケーブル長測定のために検出用ケーブル９２２が別途必要となる。また、計測されたケーブル長に基づいて送信差動信号の振幅が設定されるため、装置使用状態における周囲温度や電磁波等の環境変化については考慮されておらず対応することができないという問題があった。
【００２８】
本発明は、上記従来の問題を解決するもので、ＬＶＤＳインタフェースを用いたデータ通信において、ケーブルの状態変化に応じてクロック周波数を変更し、ケーブルの容量および抵抗等の状態変化に加えて、周囲温度や電磁波等の環境変化にも対応してデータ通信を良好に行うことができるデータ送信器、これを用いた通信端末装置、このデータ送信器を用いたデータ通信システムおよびデータ通信方法を提供することを目的とする。
【課題を解決するための手段】
【００２９】
本発明のデータ送信器は、クロック信号を差動クロック信号に変換すると共にデータ信号を差動データ信号に変換し、該差動クロック信号および差動データ信号をそれぞれ、各ケーブルをそれぞれ介して送信するデータ送信器において、クロック信号用ケーブルの状態変化に基づく送信差動クロック信号の影響度に応じて該クロック信号の周波数を制御する周波数制御手段を有しており、そのことにより上記目的が達成される。
【００３０】
また、好ましくは、本発明のデータ送信器において、前記周波数制御手段で周波数制御されたクロック信号に同期するようにパラレル−シリアル変換した前記データ信号を得るパラレル−シリアル変換手段と、該データ信号を二つの差動データ信号に変換してデータ信号用ケーブルに出力する差動データ出力手段とを更に有する。
【００３１】
さらに、好ましくは、本発明のデータ送信器における周波数制御手段の前段には、クロック信号を発生するクロック信号発生手段が設けられ、該周波数制御手段の後段には、該周波数制御手段で周波数制御されたクロック信号を二つの差動クロック信号に変換して前記クロック信号用ケーブルに前記送信差動クロック信号として出力する差動クロック出力手段が設けられている。
【００３２】
さらに、好ましくは、本発明のデータ送信器における周波数制御手段は、前記送信差動クロック信号の影響度を検出するクロック影響度検出手段と、該クロック影響度検出手段で検出した検出結果に応じて、該クロック信号発生手段からのクロック信号を分周して前記差動クロック出力手段に供給する分周手段とを有する。
【００３３】
さらに、好ましくは、本発明のデータ送信器における送信差動クロック信号の影響度は、該送信差動クロック信号に生じるジッターの大きさである。
【００３４】
さらに、好ましくは、本発明のデータ送信器における送信差動クロック信号の影響度は、該送信差動クロック信号間に生じるスキューの大きさである。
【００３５】
本発明の通信端末装置は、請求項１〜６のいずれかに記載のデータ送信器と、該データ送信器から送信された差動クロック信号および差動データ信号を受信してそれぞれをクロック信号およびデータ信号にそれぞれ変換するデータ受信器と、該データ受信器からのクロック信号およびデータ信号に基づいて表示画面上に画像表示する画像表示手段とを有しており、そのことにより上記目的が達成される。
【００３６】
また、本発明の通信端末装置におけるデータ送信器に対して、撮影した画像データを供給する撮影手段を更に有する。
【００３７】
本発明のデータ通信システムは、請求項１〜６のいずれかに記載のデータ送信器と、該データ送信器から送信される差動クロック信号および差動データ信号を受信してそれぞれをクロック信号およびデータ信号にそれぞれ変換するデータ受信器とが、クロック信号用ケーブルおよびデータ信号用ケーブルをそれぞれ介して接続されており、そのことにより上記目的が達成される。
【００３８】
また、好ましくは、本発明のデータ通信システムにおけるデータ受信器は、前記データ送信器からの差動クロック信号および差動データ信号をそれぞれクロック信号およびデータ信号にそれぞれ変換する差動クロック受信手段および差動データ受信手段と、該差動データ受信手段からのデータ信号を、該差動クロック受信手段からのクロック信号に同期するようにシリアル−パラレル変換するシリアル−パラレル変換手段とを有する。
【００３９】
本発明のデータ通信方法は、クロック信号とデータ信号をそれぞれ差動振幅信号に変換してデジタルデータ通信を行うデータ通信方法において、クロック信号用ケーブルの状態変化に基づく送信差動クロック信号の影響度に応じて該クロック信号の周波数を制御し、そのことにより上記目的が達成される。
【００４０】
上記構成により、以下に、本発明の作用について説明する。
【００４１】
本発明にあっては、クロック信号を差動クロック信号に変換すると共にデータ信号を差動データ信号に変換し、該差動クロック信号および差動データ信号をそれぞれ、各ケーブルをそれぞれ介して送信するデータ送信器において、クロック信号用ケーブルの状態変化に基づく送信差動クロック信号の影響度に応じて送信差動クロック信号の周波数を変更する周波数変更手段が設けられている。
【００４２】
例えば、ケーブル状態変化に基づく送信差動クロック信号の影響度として、差動クロック信号のジッターを計測し、そのジッター値の大きさにより差動クロック信号の周波数を変更することによって、ＬＶＤＳインタフェースに接続されているケーブルの状態が変化しても、最適化された周波数によってデジタルデータの伝送を行うことが可能となる。
【００４３】
または、ケーブル状態変化に基づく送信差動クロック信号の影響度として、２本のケーブルの差動クロック信号間のスキューを計測して、そのスキュー値の大きさにより差動クロック信号の周波数を変更することによって、ＬＶＤＳインタフェースに接続されているケーブルの状態が変化しても、最適化された周波数によってデジタルデータの伝送を行うことが可能となる。
【発明の効果】
【００４４】
以上のように、本発明によれば、ＬＶＤＳインターフェイスを用いたデジタルデータ通信において、次の（１）〜（３）の効果を得ることができる。
（１）ケーブル長、容量および抵抗等の状態変化による通信エラーを抑えることができる。
（２）周囲温度や電磁波などの環境の変化によりケーブル容量および抵抗等の状態が変化しても、通信エラーが発生しないようにクロック周波数を変更して、高速にデータ通信を行うことができる。
（３）従来技術のようにデータ伝送用ケーブル以外に検出用ケーブルを配する必要がなく、ＬＶＤＳインタフェースを含むデータ通信システムを構成する際に、実装面積のロスが生じることなく、データ通信システムの小型化を図ることができる。
【発明を実施するための最良の形態】
【００４５】
以下に、本発明のデータ通信システムの実施形態１，２について、図面を参照しながら詳細に説明する。
（実施形態１）
図１は、本発明の実施形態１に係るデータ通信システムの要部構成例を示すブロック図である。
【００４６】
図１に示すように、データ通信システム１０は、クロック信号とデータ信号をそれぞれ差動振幅信号に変換して出力するデータ送信器としてのＬＶＤＳインターフェイス送信器１１と、ＬＶＤＳ送信器としてのＬＶＤＳインターフェイス送信器１１から出力される差動クロック信号および差動データ信号を受信してそれぞれの差動振幅信号をクロック信号およびデータ信号に変換するデータ受信器としてのＬＶＤＳ受信器としてのＬＶＤＳインターフェイス受信器１２とが、クロック信号用ケーブルとしてのＬＶＤＳクロック通信ケーブル１３およびデータ信号用ケーブルとしてのＬＶＤＳデータ通信ケーブル１４を介して接続されている。
【００４７】
ＬＶＤＳインターフェイス送信器１１には、２本のＬＶＤＳクロック通信ケーブル１３上に差動クロック信号を出力する差動クロック出力手段としての差動クロック出力回路１１１と、クロック信号を発生させるクロック信号発生手段としてのクロック発生回路１１２と、クロック発生回路１１２からのクロック信号を分周して周波数を制御する分周手段としての分周回路１１３と、ＬＶＤＳクロック通信ケーブル１３上の送信差動クロック信号のジッターを計測するジッター計測回路１１４と、入力デジタルデータ信号のパラレル信号をシリアル信号に変換するパラレル−シリアル変換手段としてのＰ−Ｓ変換回路１１５と、シリアルデータ信号をＬＶＤＳデータ通信ケーブル１４に差動データとして出力する差動データ出力手段としての差動データ出力回路１１６とを有している。
【００４８】
これらの分周回路１１３とジッター計測回路１１４により周波数制御手段が構成されており、ＬＶＤＳクロック通信ケーブル１３の状態変化に基づく送信差動クロック信号の影響度（ジッター計測値）に応じてクロック信号の周波数を制御する。この場合、ジッター計測回路１１４は、送信差動クロック信号の影響度を検出（ジッターを計測）するクロック影響度検出手段として作用する。分周回路１１３は、ジッター計測回路１１４で計測したジッター計測値（影響度検出結果）に応じて、クロック信号発生回路１１２からのクロック信号を分周して差動クロック出力回路１１１に供給するようになっている。
【００４９】
Ｐ−Ｓ変換回路１１５は、ジッター計測回路１１４からのジッター計測結果に応じて分周回路１１３で周波数制御されたクロック信号に同期するようにデータ信号をパラレル信号からシリアル信号に変換する。
【００５０】
ＬＶＤＳクロック通信ケーブル１３およびＬＶＤＳデータ通信ケーブル１４には、ＬＶＤＳインターフェイス送信器１１から電流として出力される差動クロック信号および差動データ信号をそれぞれ電圧に変換する抵抗器Ｒがそれぞれ設けられており、図７に示すように電流信号が抵抗器Ｒによって電圧信号Ｖｏｄ１＝Ｉｄ１×Ｒに変換されてＬＶＤＳインターフェイス受信器１２に入力される。この信号は、抵抗器Ｒに電流が流れる方向によって、“１”または“０”として解釈されている。
【００５１】
ＬＶＤＳインターフェイス受信器１２には、差動クロック信号を受信してクロック信号に変換する差動クロック受信手段としての差動クロック受信回路１２１と、差動データ信号を受信してデータ信号に変換する差動データ受信手段としての差動データ受信回路１２２と、差動データ受信回路１２２からのデータ信号を、差動クロック受信回路１２１からのクロック信号に同期するようにそのシリアル信号からパラレル信号に変換するシリアル−パラレル変換手段としてのＳ−Ｐ変換回路１２３とを有している。
【００５２】
上記構成により、このデータ通信システム１０において、差動クロック出力回路１１１から出力される差動クロック信号には、ＬＶＤＳクロック通信ケーブル１３の配線容量および配線抵抗等の状態変化によって、図２に示すような信号遅れに起因したジッターが発生する。ジッターとはデジタル信号を処理する際に、時間軸の遅れによって発生する信号のゆらぎのことである。図２では、クロックのＣ期間がジッター分だけ小さくなってゆらいでいる。
【００５３】
ＬＶＤＳインターフェイス送信器１１において、ジッター計測回路１１４は、２本のＬＶＤＳクロック通信ケーブル１３のうちの１本に接続されており、発生したジッターの大きさ（ジッター値；ずれ量であって、状態変化に基づくクロック影響度）が計測される。分周回路１１３では、ジッター計測回路１１４によって計測されたジッター値（状態変化に基づくクロック影響度）に応じて、クロック信号の分周係数が変更されてクロック信号の周波数が制御される。
【００５４】
分周回路１１３では、ジッター値が大きいほど、分周回路１１３からの出力周波数が低く、ジッター値が小さいほど、分周回路１１３からの出力周波数が高くなるように分周係数が設定制御されて、差動クロック出力回路１１１に入力されるクロック信号の周波数が変更される。
【００５５】
（表１）は、ジッター計測回路１１４によって計測されたジッター値に対する分周回路１１３による分周係数、および出力差動クロック周波数の一例を示す表である。
【００５６】
【表１】
2006107292.tif 000003
【００５７】
例えば、原振クロック信号（クロック発生回路１１２からのクロック信号）の周波数が８００ＭＨｚであり、差動クロック信号のジッター値が１ｎｓである場合には、分周回路１１３による分周係数は１／４であり、差動クロック出力回路１１１から出力される差動クロック信号の周波数は２００ＭＨｚとなる。また、差動クロック信号のジッター値が２ｎｓである場合には、分周回路１１３による分周係数は１／８であり、差動クロック出力回路１１１から出力される差動クロック信号の周波数は１００ＭＨｚとなる。
【００５８】
従来のＬＶＤＳインターフェイスを用いたデータ通信システムでは、送信差動クロック信号の周波数が固定されているため、デジタルデータ伝送中に通信ケーブルの状態が変化したときに通信エラーが発生する場合があった。
【００５９】
これに対して、本実施形態１では、送信差動クロック信号のジッター値を計測し、この計測したジッター値の大小によってクロック周波数を最適に調整することによって、通信エラーが生じないクロック周波数によってデータ転送を行うことが可能となる。
【００６０】
（実施形態２）
図３は、本発明の実施形態２に係るデータ通信システムの要部構成例を示すブロック図である。なお、図１の部材と同様の作用効果を奏する部材には同一の符号を付している。
【００６１】
図３に示すように、本実施形態２のデータ通信システム２０が、本実施形態１のデータ通信システム１０と異なるのは、ＬＶＤＳインターフェイス送信器２１に、図１に示すジッター計測回路１１４の代りに、２本のＬＶＤＳクロック通信ケーブル１３上の各送信差動クロック信号間に生じるスキューの大きさを検出するスキュー計測回路２１４が設けられている点である。それ以外の構成は、図１の上記実施形態１のデータ通信システム１０の場合と同様の構成である。
【００６２】
即ち、本実施形態２のデータ通信システム２０は、クロック信号とデータ信号をそれぞれ差動振幅信号に変換して出力するデータ送信器としてのＬＶＤＳインターフェイス送信器２１と、ＬＶＤＳインターフェイス送信器２１から出力される差動クロック信号および差動データ信号を受信してそれぞれの差動振幅信号をクロック信号およびデータ信号に変換するデータ受信器としてのＬＶＤＳインターフェイス受信器１２とが、クロック信号用ケーブルとしてのＬＶＤＳクロック通信ケーブル１３およびデータ信号用ケーブルとしてのＬＶＤＳデータ通信ケーブル１４を介して接続されている。
【００６３】
ここで、分周回路１１３とスキュー計測回路２１４により周波数制御手段が構成されており、ＬＶＤＳクロック通信ケーブル１３の状態変化に基づく送信差動クロック信号の影響度（スキュー計測値）に応じてクロック信号の周波数を制御する。この場合、スキュー計測回路２１４は、送信差動クロック信号の影響度を検出（スキューを計測）するクロック影響度検出手段として作用する。分周回路１１３は、スキュー計測回路２１４で計測したスキュー計測値（影響度検出結果）に応じて、クロック信号発生回路１１２からのクロック信号を分周して差動クロック出力回路１１１に供給するようになっている。
【００６４】
Ｐ−Ｓ変換回路１１５は、スキュー計測回路２１４からのスキュー計測結果に応じて分周回路１１３で周波数が制御されたクロック信号に同期するようにデータ信号をパラレル信号からシリアル信号に変換する。
【００６５】
ＬＶＤＳクロック通信ケーブル１３およびＬＶＤＳデータ通信ケーブル１４には、ＬＶＤＳインターフェイス送信器２１から電流として出力される差動クロック信号および差動データ信号をそれぞれ電圧に変換する抵抗器Ｒがそれぞれ設けられており、図７に示すように電流信号が抵抗器Ｒによって電圧信号Ｖｏｄ１＝Ｉｄ１×Ｒに変換されてＬＶＤＳインターフェイス受信器１２に入力される。この信号は、抵抗器Ｒに電流が流れる方向によって、“１”または“０”として解釈されている。
【００６６】
ＬＶＤＳインターフェイス受信器１２には、差動クロック信号を受信してクロック信号に変換する差動クロック受信手段としての差動クロック受信回路１２１と、差動データ信号を受信してデータ信号に変換する差動データ受信手段としての差動データ受信回路１２２と、差動データ受信回路１２２からのデータ信号を、差動クロック受信回路１２１からのクロック信号に同期するようにそのシリアル信号からパラレル信号に変換するシリアル−パラレル変換手段としてのＳ−Ｐ変換回路１２３とを有している。
【００６７】
上記構成により、このデータ通信システム２０において、差動クロック出力回路１１１から出力される２本のＬＶＤＳクロック通信ケーブル１３上の各差動クロック信号ＡおよびＢの間には、ＬＶＤＳクロック通信ケーブル１３の配線容量および配線抵抗等の状態変化によって、図４に示すようなスキューが発生する。スキューは場所（計測位置）によって信号のずれ量が違っている。
【００６８】
ＬＶＤＳインターフェイス送信器２１において、スキュー計測回路２１４は、２本のＬＶＤＳクロック通信ケーブル１３（ＡおよびＢ）に接続されており、発生したスキューの大きさ（スキュー値；ずれ量であって、状態変化に基づくクロック影響度）が計測される。分周回路１１３では、スキュー計測回路２１４によって計測されたスキュー値に応じて、クロック信号の分周係数が変更される。
【００６９】
分周回路１１３では、スキュー値が大きいほど、分周回路１１３からの出力周波数が低く、スキュー値が小さいほど、分周回路１１３からの出力周波数が高くなるように分周係数が設定されており、差動クロック出力回路１１１に入力されるクロック信号の周波数が変更される。
【００７０】
（表２）は、スキュー計測回路２１４によって計測されたスキュー値に対する分周回路１１３による分周係数、および出力差動クロック周波数の一例を示す表である。
【００７１】
【表２】
2006107292.tif 000004
【００７２】
例えば、原振クロック信号の周波数が８００ＭＨｚであり、２本のＬＶＤＳクロック通信ケーブル１３上の差動クロック信号間のスキュー値が５０ｐｓである場合には、分周回路１１３による分周係数は１／４であり、差動クロック出力回路１１１から出力される差動クロック信号の周波数は２００ＭＨｚとなる。また、２本の差動クロック信号間のスキュー値が１５０ｐｓである場合には、分周回路１１３による分周係数は１／８であり、差動クロック出力回路１１１から出力される差動クロック信号の周波数は１００ＭＨｚとなる。
【００７３】
従来のＬＶＤＳインターフェイスを用いたデータ通信システムでは、送信差動クロック信号の周波数が固定されているため、デジタルデータ伝送中に通信ケーブルの状態が変化したときに通信エラーが発生する場合があった。
【００７４】
これに対して、本実施形態２では、２本のＬＶＤＳクロック通信ケーブル１３上の差動クロック信号間のスキュー値を計測し、その計測したスキュー値の大小によってクロック周波数を調整することによって、通信エラーが生じない周波数によってデータ転送を行うことが可能となる。
【００７５】
以上により、上記実施形態１，２によれば、ＬＶＤＳデータ送信器１０、２０は、クロック信号用ケーブル１３に接続されて差動クロック信号のジッター値を計測したり、差動クロック信号間のスキュー値を計測したりし、その計測したジッター値やスキュー値（状態変化に基づくクロック影響度）に応じて分周回路１１３によりクロック信号の分周値を変更し、差動クロック出力回路１１１から出力される差動クロック信号の周波数を変化させる。これによって、ＬＶＤＳインタフェースを用いたデータ通信において、ケーブルの容量および抵抗等の状態に加えて、周囲温度や電磁波等の環境変化にも充分に対応してデータ通信を良好に行うことができる。
（実施形態３）
本実施形態３では、上記実施形態１，２のＬＶＤＳインタフェース送信器１１または２１を用いた移動体通信端末装置について説明する。
【００７６】
図５は、本発明の実施形態３に係る移動体通信端末装置の要部構成例を示すブロック図である。
【００７７】
図５に示すように、本実施形態３の移動体通信端末装置３０は、撮影した画像データを出力するカメラ手段などの撮影手段３１と、撮影手段３１から画像データが供給される上記実施形態１，２のＬＶＤＳインタフェース送信器１１または２１と、同じＬＶＤＳインタフェース送信器１１または２１から送信されて来た差動クロック信号および差動データ信号を受信してそれぞれをクロック信号およびデータ信号にそれぞれ変換するＬＶＤＳインタフェースデータ受信器１２と、このデータ受信器１２からのクロック信号およびデータ信号に基づいて表示画面上に画像表示する画像表示手段３２とを有している。
【００７８】
例えば携帯電話を想定した場合、携帯電話の撮影手段３１としてのカメラ手段で被写体を撮影した画像データを、ＬＶＤＳインタフェース送信器１１または２１からＬＶＤＳインタフェースデータ受信器１２にＬＶＤＳクロック通信ケーブル１３およびＬＶＤＳデータ通信ケーブル１４を介して送信および受信して、携帯電話における画像表示手段３２の表示画面上に画像表示することが考えられる。
【００７９】
したがって、本実施形態３の移動体通信端末装置３０においては、ケーブルの状態が変化しても、通信エラーが発生しないようにクロック周波数を変更して、高速にデータ通信を行うことができる。
【００８０】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８１】
本発明は、例えば移動体通信端末装置などにおいて、例えばデジタルカメラやデジタルビデオカメラなどで撮像された画像データを画像表示装置との間で高速に伝送させるためのデータ送信器、これを用いたデータ通信システムおよびデータ通信方法の分野において、例えばデジタルカメラやデジタルビデオカメラなどで撮像された画像データを画像表示装置との間で高速に伝送させる際に、ＬＶＤＳインターフェイスを用いて、ケーブル長、容量および抵抗値等の状態変化による通信エラーを抑えることができる。また、周囲温度や電磁波などの環境変化（これも状態変化に含める）によりケーブルの状態が変化しても、通信エラーが発生しないようにクロック周波数を変更して、高速にデータ通信を行うことができる。さらに、従来技術のように、データ伝送用ケーブル以外に検出用ケーブルを配する必要がなく、ＬＶＤＳインタフェースを含むデータ通信システムを構成する際に、実装面積のロスを生じることなく、データ通信システムの小型化を図ることができる。
【図面の簡単な説明】
【００８２】
【図１】本発明の実施形態１に係るデータ通信システムの要部構成例を示すブロック図である。
【図２】ケーブル上で差動クロック信号に生じるジッターを説明するための信号波形図である。
【図３】本発明の実施形態２に係るデータ通信システムの要部構成例を示すブロック図である。
【図４】ケーブル上で差動クロック信号間に生じるスキューを説明するための信号波形図である。
【図５】本発明の実施形態３に係る移動体通信端末装置の要部構成例を示すブロック図である。
【図６】ＬＶＤＳインタフェースを用いた従来のデータ通信システムの構成例を示すブロック図である。
【図７】図６のＬＶＤＳ送信器からＬＶＤＳ受信器に伝送される差動振幅信号を示す信号波形図である。
【図８】ケーブル長に基づいて差動信号の振幅を最適化する従来のＬＶＤＳインタフェースを備えた情報処理装置の構成例を示すブロック図である。
【符号の説明】
【００８３】
１０，２０  データ通信システム
１１，２１  ＬＶＤＳインタフェース送信器
１１１ 差動クロック出力回路
１１２ クロック発生回路
１１３ 分周回路
１１４ ジッター計測回路
１１５ デジタルデータ用パラレル−シリアル変換回路
１１６ 差動データ出力回路
１２ ＬＶＤＳインタフェース受信器
１２１ 差動クロック受信回路
１２２ 差動データ受信回路
１２３ デジタルデータ用シリアル−パラレル変換回路
１３ ＬＶＤＳクロック通信ケーブル
１４ ＬＶＤＳデータ通信ケーブル
２１４ スキュー計測回路
３０  移動体通信端末装置
３１  撮影手段
３２  画像表示手段
【図１】
2006107292.tif 000005
【図２】
2006107292.tif 000006
【図３】
2006107292.tif 000007
【図４】
2006107292.tif 000008
【図５】
2006107292.tif 000009
【図６】
2006107292.tif 000010
【図７】
2006107292.tif 000011
【図８】
2006107292.tif 000012